(57)【要約】　　　（修正有）【課題】撮像装置において、ＥＶＦ画像及び撮像画像のヒストグラムの任意の輝度区間を設定し、設定した輝度区間と対応する画素値分布を表示することでヒストグラムの指定区間を適正露出に設定する方法を提案する。【解決手段】撮像した画像からヒストグラムを算出しこれを表示する表示手段とヒストグラム輝度範囲を設定し、前記輝度範囲設定手段で設定した輝度値を適正露出に設定する為の適正露出設定手段を有することを特徴とする。【選択図】　　　　図１
2004096624.tif 000002
【特許請求の範囲】
【請求項１】
撮像装置は、
撮影手段と、
撮像した画像からヒストグラムを算出するヒストグラム算出手段と、
前記ヒストグラム算出手段で算出したヒストグラムを表示するヒストグラム表示手段と、
前記ヒストグラムの任意の輝度範囲を指定するヒストグラム輝度範囲指定手段と、
前記ヒストグラム輝度範囲指定手段で指定した輝度範囲を移動するヒストグラム輝度範囲移動手段と、
前記ヒストグラム輝度範囲指定手段と前記ヒストグラム輝度範囲移動手段を利用して輝度範囲を設定する輝度範囲設定手段と、
前記輝度範囲設定手段で設定した輝度範囲に対応した撮像画像の画素値を識別して表示する輝度範囲画素値表示手段と、
前記輝度範囲設定手段で設定した輝度値を適正露出に設定する適正露出設定手段を有することを特徴とする撮像装置。
【請求項２】
撮像装置は、
撮影手段と、
ＥＶＦ画像からヒストグラムを算出するヒストグラム算出手段と、
前記ヒストグラム算出手段で算出したヒストグラムを表示するヒストグラム表示手段と、
前記ヒストグラムの任意の輝度範囲を指定するヒストグラム輝度範囲指定手段と、
前記ヒストグラム輝度範囲指定手段で指定した輝度範囲を移動するヒストグラム輝度範囲移動手段と、
前記ヒストグラム輝度範囲指定手段と前記ヒストグラム輝度範囲移動手段を利用して輝度範囲を設定する輝度範囲設定手段と、
前記輝度範囲設定手段で設定した輝度範囲に対応した撮像画像の画素値を識別して表示する輝度範囲画素値表示手段と、
前記輝度範囲設定手段で設定した輝度値を適正露出に設定する適正露出設定手段を有することを特徴とする撮像装置。
【請求項３】
撮像装置の制御方法であって、前記撮像装置において、
撮影手段と、
撮像した画像からヒストグラムを算出するヒストグラム算出工程と、
前記ヒストグラム算出手段で算出したヒストグラムを表示するヒストグラム表示工程と、
前記ヒストグラムの任意の輝度範囲を指定するヒストグラム輝度範囲指定工程と、
前記ヒストグラム輝度範囲指定手段で指定した輝度範囲を移動するヒストグラム輝度範囲移動工程と、
前記ヒストグラム輝度範囲指定手段と前記ヒストグラム輝度範囲移動手段を利用して輝度範囲を設定する輝度範囲設定工程と、
前記輝度範囲設定手段で設定した輝度範囲に対応した撮像画像の画素値を識別して表示する輝度範囲画素値表示工程と、
前記輝度範囲設定手段で設定した輝度値を適正露出に設定する適正露出設定工程とを有することを特徴とする撮像装置の制御方法。
【請求項４】
撮像装置の制御方法であって、前記撮像装置において、
撮影手段と、
ＥＶＦ画像からヒストグラムを算出するヒストグラム算出工程と、
前記ヒストグラム算出手段で算出したヒストグラムを表示するヒストグラム表示工程と、
前記ヒストグラムの任意の輝度範囲を指定するヒストグラム輝度範囲指定工程と、
前記ヒストグラム輝度範囲指定手段で指定した輝度範囲を移動するヒストグラム輝度範囲移動工程と、
前記ヒストグラム輝度範囲指定手段と前記ヒストグラム輝度範囲移動手段を利用して輝度範囲を設定する輝度範囲設定工程と、
前記輝度範囲設定手段で設定した輝度範囲に対応した撮像画像の画素値を識別して表示する輝度範囲画素値表示工程と、
前記輝度範囲設定手段で設定した輝度値を適正露出に設定する適正露出設定工程とを有することを特徴とする撮像装置の制御方法。
【請求項５】
撮像装置を制御する制御プログラムを格納した記憶媒体であって、該制御プログラムが、
前記撮像装置において、
撮影手段と、
撮像した画像からヒストグラムを算出するヒストグラム算出工程と、
前記ヒストグラム算出手段で算出したヒストグラムを表示するヒストグラム表示工程と、
前記ヒストグラムの任意の輝度範囲を指定するヒストグラム輝度範囲指定工程と、
前記ヒストグラム輝度範囲指定手段で指定した輝度範囲を移動するヒストグラム輝度範囲移動工程と、
前記ヒストグラム輝度範囲指定手段と前記ヒストグラム輝度範囲移動手段を利用して輝度範囲を設定する輝度範囲設定工程と、
前記輝度範囲設定手段で設定した輝度範囲に対応した撮像画像の画素値を識別して表示する輝度範囲画素値表示工程と、
前記輝度範囲設定手段で設定した輝度値を適正露出に設定する適正露出設定工程とのコードを具備することを特徴とする記憶媒体。
【請求項６】
撮像装置を制御する制御プログラムを格納した記憶媒体であって、該制御プログラムが、
前記撮像装置において、
撮影手段と、
ＥＶＦ画像からヒストグラムを算出するヒストグラム算出工程と、
前記ヒストグラム算出手段で算出したヒストグラムを表示するヒストグラム表示工程と、
前記ヒストグラムの任意の輝度範囲を指定するヒストグラム輝度範囲指定工程と、
前記ヒストグラム輝度範囲指定手段で指定した輝度範囲を移動するヒストグラム輝度範囲移動工程と、
前記ヒストグラム輝度範囲指定手段と前記ヒストグラム輝度範囲移動手段を利用して輝度範囲を設定する輝度範囲設定工程と、
前記輝度範囲設定手段で設定した輝度範囲に対応した撮像画像の画素値を識別して表示する輝度範囲画素値表示工程と、
前記輝度範囲設定手段で設定した輝度値を適正露出に設定する適正露出設定工程とのコードを具備することを特徴とする記憶媒体。
【発明の詳細な説明】
【０００１】
【発明の属する技術分野】
本発明は、静止画像や動画像を撮像、記憶、通信、記録、再生する撮像システム及びその制御方法及び記憶媒体に関する。
【０００２】
【従来の技術】
従来、固体メモリ素子を有するメモリカードを記録媒体として、静止画像や動画像を記録、再生、通信する電子カメラ等の撮像装置は既に市販されており、また、撮影前後の画像を液晶モニタで確認できる特徴を生かし、ＥＶＦ画像及び静止画像のヒストグラムを表示する撮像装置も提供されている。
【０００３】
ヒストグラム表示とともに画像の白とび表示を行い、ユーザーに撮影前後の画像の露出具合を視覚的に提示する手段が提供さている。
【０００４】
【発明が解決しようとする課題】
このような従来の撮像装置においては、画像全体の輝度分布と白とび部分の確認をすることは可能であったが、その表示をもとに適正露出を選択するためにはユーザーの経験的な判断が必要であった。
【０００５】
また、ヒストグラムの任意の場所が画像のどの位置に対応するかを視覚的に確認する手段が提供されていなかった。このため、ユーザーが画像中の指定箇所を中心に露出を適正したい場合に指定する手段が提供されていない問題があった。
【０００６】
【課題を解決するための手段】
上記目的を達成するために、請求項１に記載の発明は、撮像装置が、撮影手段と、撮像した画像からヒストグラムを算出するヒストグラム算出手段と、前記ヒストグラム算出手段で算出したヒストグラムを表示するヒストグラム表示手段と、前記ヒストグラムの任意の輝度範囲を指定するヒストグラム輝度範囲指定手段と、前記ヒストグラム輝度範囲指定手段で指定した輝度範囲を移動するヒストグラム輝度範囲移動手段と、前記ヒストグラム輝度範囲指定手段と前記ヒストグラム輝度範囲移動手段を利用して輝度範囲を設定する輝度範囲設定手段と、前記輝度範囲設定手段で設定した輝度範囲に対応した撮像画像の画素値を識別して表示する輝度範囲画素値表示手段と、前記輝度範囲設定手段で設定した輝度値を適正露出に設定する適正露出設定手段を有することを有することを特徴とする。
【０００７】
上記目的を達成するために、請求項２に記載の発明は、撮像装置が撮影手段と、ＥＶＦ画像からヒストグラムを算出するヒストグラム算出手段と、前記ヒストグラム算出手段で算出したヒストグラムを表示するヒストグラム表示手段と、前記ヒストグラムの任意の輝度範囲を指定するヒストグラム輝度範囲指定手段と、前記ヒストグラム輝度範囲指定手段で指定した輝度範囲を移動するヒストグラム輝度範囲移動手段と、前記ヒストグラム輝度範囲指定手段と前記ヒストグラム輝度範囲移動手段を利用して輝度範囲を設定する輝度範囲設定手段と、前記輝度範囲設定手段で設定した輝度範囲に対応した撮像画像の画素値を識別して表示する輝度範囲画素値表示手段と、前記輝度範囲設定手段で設定した輝度値を適正露出に設定する適正露出設定手段を有することを特徴とする。
【０００８】
上記目的を達成するために、請求項３に記載の発明は、撮像装置の制御方法であって、前記撮像装置において、撮影手段と、撮像した画像からヒストグラムを算出するヒストグラム算出工程と、前記ヒストグラム算出手段で算出したヒストグラムを表示するヒストグラム表示工程と、前記ヒストグラムの任意の輝度範囲を指定するヒストグラム輝度範囲指定工程と、前記ヒストグラム輝度範囲指定手段で指定した輝度範囲を移動するヒストグラム輝度範囲移動工程と、前記ヒストグラム輝度範囲指定手段と前記ヒストグラム輝度範囲移動手段を利用して輝度範囲を設定する輝度範囲設定工程と、前記輝度範囲設定手段で設定した輝度範囲に対応した撮像画像の画素値を識別して表示する輝度範囲画素値表示工程と、前記輝度範囲設定手段で設定した輝度値を適正露出に設定する適正露出設定工程とを有することを特徴とする。
【０００９】
上記目的を達成するために、請求項４に記載の発明は、撮像装置の制御方法であって、前記撮像装置において、撮影手段と、ＥＶＦ画像からヒストグラムを算出するヒストグラム算出工程と、前記ヒストグラム算出手段で算出したヒストグラムを表示するヒストグラム表示工程と、前記ヒストグラムの任意の輝度範囲を指定するヒストグラム輝度範囲指定工程と、前記ヒストグラム輝度範囲指定手段で指定した輝度範囲を移動するヒストグラム輝度範囲移動工程と、前記ヒストグラム輝度範囲指定手段と前記ヒストグラム輝度範囲移動手段を利用して輝度範囲を設定する輝度範囲設定工程と、前記輝度範囲設定手段で設定した輝度範囲に対応した撮像画像の画素値を識別して表示する輝度範囲画素値表示工程と、前記輝度範囲設定手段で設定した輝度値を適正露出に設定する適正露出設定工程とを有することを特徴とする。
【００１０】
上記目的を達成するために、請求項５に記載の発明は、撮像装置を制御する制御プログラムを格納した記憶媒体であって、該制御プログラムが、前記撮像装置において、撮影手段と、撮像した画像からヒストグラムを算出するヒストグラム算出工程と、前記ヒストグラム算出手段で算出したヒストグラムを表示するヒストグラム表示工程と、前記ヒストグラムの任意の輝度範囲を指定するヒストグラム輝度範囲指定工程と、前記ヒストグラム輝度範囲指定手段で指定した輝度範囲を移動するヒストグラム輝度範囲移動工程と、前記ヒストグラム輝度範囲指定手段と前記ヒストグラム輝度範囲移動手段を利用して輝度範囲を設定する輝度範囲設定工程と、前記輝度範囲設定手段で設定した輝度範囲に対応した撮像画像の画素値を識別して表示する輝度範囲画素値表示工程と、前記輝度範囲設定手段で設定した輝度値を適正露出に設定する適正露出設定工程とのコードを具備することを特徴とする。
【００１１】
上記目的を達成するために、請求項６に記載の発明は、撮像装置を制御する制御プログラムを格納した記憶媒体であって、該制御プログラムが、前記撮像装置において、撮影手段と、ＥＶＦ画像からヒストグラムを算出するヒストグラム算出工程と、前記ヒストグラム算出手段で算出したヒストグラムを表示するヒストグラム表示工程と、前記ヒストグラムの任意の輝度範囲を指定するヒストグラム輝度範囲指定工程と、前記ヒストグラム輝度範囲指定手段で指定した輝度範囲を移動するヒストグラム輝度範囲移動工程と、前記ヒストグラム輝度範囲指定手段と前記ヒストグラム輝度範囲移動手段を利用して輝度範囲を設定する輝度範囲設定工程と、前記輝度範囲設定手段で設定した輝度範囲に対応した撮像画像の画素値を識別して表示する輝度範囲画素値表示工程と、前記輝度範囲設定手段で設定した輝度値を適正露出に設定する適正露出設定工程とのコードを具備することを特徴とする。
【００１２】
【発明の実施の形態】
（第１の実施例）
＜撮像装置１００の構成説明＞
次に、図を用いて、前述した撮像装置１００について説明する。
【００１３】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１４】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１５】
２０は画像処理回路であり、Ａ／Ｄ変換器１６からのデータ或いはメモリ制御回路２２からのデータに対して所定の画素補間処理や色変換処理を行う。
【００１６】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１７】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１８】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１９】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２０】
２４は画像表示メモリ、２６はＤ／Ａ変換器、２８はＴＦＴ　ＬＣＤ等から成る画像表示部であり、画像表示メモリ２４に書き込まれた表示用の画像データはＤ／Ａ変換器２６を介して画像表示部２８により表示される。
【００２１】
画像表示部２８を用いて撮像した画像データを逐次表示すれば、電子ファインダー機能を実現することが可能である。
【００２２】
また、画像表示部２８は、システム制御回路５０の指示により任意に表示をＯＮ／ＯＦＦすることが可能であり、表示をＯＦＦにした場合には撮像装置１００の電力消費を大幅に低減することが出来る。
【００２３】
３０は撮影した静止画像や動画像を格納するためのメモリであり、所定枚数の静止画像や所定時間の動画像を格納するのに十分な記憶量を備えている。
【００２４】
これにより、複数枚の静止画像を連続して撮影する連写撮影やパノラマ撮影の場合にも、高速かつ大量の画像書き込みをメモリ３０に対して行うことが可能となる。
【００２５】
また、メモリ３０はシステム制御回路５０の作業領域としても使用することが可能である。
【００２６】
３２は適応離散コサイン変換（ＡＤＣＴ）、ウェーブレット変換等により画像データを圧縮伸長する圧縮・伸長回路であり、メモリ３０に格納された画像を読み込んで圧縮処理或いは伸長処理を行い、処理を終えたデータをメモリ３０に書き込む。
【００２７】
３４は暗号／復号回路であり、撮影してメモリ３０の所定領域に記憶した画像データに対して必要に応じて暗号化処理を行うと共に、暗号化処理を行ってメモリ３０の所定領域に記憶した画像データを再生表示する際に復号化処理を行う。１
なお、暗号化処理を行った画像データは、画像情報管理装置（画像ゲートウェイ）４００の備える暗号／復号手段４２２においても復号することが出来る。
【００２８】
これらの暗号／復号処理動作は、後述する画像情報管理装置（画像ゲートウェイ）４００の備える課金管理手段４２０での課金データベース情報と連携して実行される。
【００２９】
３６は課金管理手段で、撮影処理の実行及び或いは画像情報管理装置（画像ゲートウェイ）４００への画像データの送信及び或いは画像情報管理装置（画像ゲートウェイ）４００からの画像データの受信に応じて、課金情報の更新管理を必要に応じて行うことが出来る。
【００３０】
４０は絞り機能を備えるシャッター１２を制御する露光制御手段であり、フラッシュ４８と連携することによりフラッシュ調光機能も有するものである。
【００３１】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３２】
４８はフラッシュであり、ＡＦ補助光の投光機能、フラッシュ調光機能も有する。
【００３３】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３４】
５０は撮像装置１００全体を制御するシステム制御回路、５２はシステム制御回路５０の動作用の定数、変数、プログラム等を記憶するメモリである。
【００３５】
５４はシステム制御回路５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【００３６】
また、表示部５４は、その一部の機能が光学ファインダー１０４内に設置されている。
【００３７】
表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、外部コンピュータとの接続状態を示す表示、等がある。
【００３８】
また、表示部５４の表示内容のうち、光学ファインダー１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、記録媒体書き込み動作表示、等がある。
【００３９】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、二次電池充電状態表示、等がある。
【００４０】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００４１】
５６は電気的に消去・記録可能な不揮発性メモリであり、例えばＥＥＰＲＯＭ、フラッシュメモリ等が用いられる。
【００４２】
５８は識別情報で、通信手段１１０、アンテナ１１２、パケット網７００、ネットワーク７０２を介して画像情報管理装置（画像ゲートウェイ）４００と通信を行う際に認証を行うため及び或いは撮影画像データの格納／取り出しを行う際に課金管理を行うための各種識別情報が格納されている。
【００４３】
これらの識別情報は、画像情報管理装置（画像ゲートウェイ）４００において、撮像装置１００に対して各種サービスを行う際の課金情報データベースを更新する際に用いられる。
【００４４】
６０、６２、６４、７０及び７２は、システム制御回路５０の各種の動作指示を入力するための操作手段であり、スイッチやダイアル、タッチパネル、視線検知によるポインティング、音声認識装置等の単数或いは複数の組み合わせで構成される。
【００４５】
ここで、これらの操作手段の具体的な説明を行う。
【００４６】
６０は電源スイッチ（メインスイッチ）で、画像処理装置１００の電源オン、電源オフの各モードを切り替え設定することが出来る。また、画像処理装置１００に接続された各種付属装置の電源オン、電源オフの設定も合わせて切り替え設定することが出来る。
【００４７】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４８】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００に画像データを書き込む記録処理という一連の処理の動作開始を指示する。
【００４９】
７０は各種ボタンやタッチパネル等からなる操作部で、メニューボタン、セットボタン、マクロボタン、マルチ画面再生改ページボタン、フラッシュ設定ボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、画像表示ＯＮ／ＯＦＦボタン、圧縮モードスイッチ、撮影直後に撮影した画像データを画像表示部２８を用いて自動再生表示するクイックレビュー機能を設定するクイックレビュースイッチ、撮影及び或いは再生及び或いは通信を実行する際に各種機能の選択及び切り替えを設定する選択／切り替えスイッチ、撮影及び或いは再生及び或いは通信を実行する際に各種機能の決定及び実行を設定する決定／実行スイッチ等がある。
【００５０】
なお、圧縮モードスイッチにおいては、ＪＰＥＧ（Ｊｏｉｎｔ　Ｐｈｏｔｏｇｒａｐｈｉｃ　Ｅｘｐｅｒｔ　Ｇｐｏｕｐ）圧縮の圧縮率を選択するため、或いは撮像素子の信号をそのままディジタル化して記録媒体に記録するＣＣＤＲＡＷモードを選択するためのスイッチである。
【００５１】
ＪＰＥＧ圧縮のモードは、例えばノーマルモードとファインモードが用意されている。
【００５２】
撮像装置１００の利用者は、撮影した画像のデータサイズを重視する場合はノーマルモードを、撮影した画像の画質を重視する場合はファインモードを、それぞれ選択して撮影を行うことが出来る。
【００５３】
ＪＰＥＧ圧縮のモードに於いては、撮像素子１４から読み出されてＡ／Ｄ変換器１６、画像処理回路２０、メモリ制御回路２２を介して、メモリ３０に書き込まれた画像データを読み出し、圧縮・伸長回路３２により設定した圧縮率に圧縮し、必要に応じて暗号／復号回路３４により所定の暗号化処理を行った後、記録媒体２００に記録を行う。
【００５４】
ＣＣＤＲＡＷモードでは、撮像素子１４の色フィルタの画素配列に応じて、ライン毎にそのまま画像データを読み出して、Ａ／Ｄ変換器１６、メモリ制御回路２２を介して、メモリ３０に書き込まれた画像データを読み出し、必要に応じて暗号／復号回路３４により所定の暗号化処理を行った後、記録媒体２００に記録を行う。
【００５５】
７２はモードダイアルスイッチで、自動撮影モード、撮影モード、パノラマ撮影モード、再生モード、マルチ画面再生・消去モード、ＰＣ接続モード等の各機能モードを切り替え設定することが出来る。
【００５６】
なお、本実施例の説明においては、特に、撮影モード、再生モード、プリントサービスモードを撮像装置１００が備える構成としている。
【００５７】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００５８】
８２はコネクタ、８４はコネクタ、８６はアルカリ電池やリチウム電池等の一次電池やＮｉＣｄ電池やＮｉＭＨ電池、Ｌｉ−ｉｏｎ電池等の二次電池、ＡＣアダプター等からなる電源手段である。
【００５９】
９０はメモリカードやハードディスク等の記録媒体とのインタフェース、９２はメモリカードやハードディスク等の記録媒体と接続を行うコネクタである。
【００６０】
１０２は、撮像装置１００のレンズ１０を含む撮像部を覆う事により、撮像部の汚れや破損を防止するバリアである保護手段である。
【００６１】
１０４は光学ファインダであり、画像表示部２８による電子ファインダー機能を使用すること無しに、光学ファインダのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００６２】
１１０は通信手段で、ＴＤＭＡ（Ｔｉｍｅ　Ｄｉｖｉｓｉｏｎ　Ｍｕｌｔｉｐｌｅ　Ａｃｃｅｓｓ）方式やＣＤＭＡ（Ｃｏｄｅ　Ｄｉｖｉｓｉｏｎ　Ｍｕｌｔｉｐｌｅ　Ａｃｃｅｓｓ）方式、Ｗ−ＣＤＭＡ（Ｗｉｄｅｂａｎｄ　Ｃｏｄｅ　Ｄｉｖｉｓｉｏｎ　Ｍｕｌｔｉｐｌｅ　Ａｃｃｅｓｓ）方式、ＰＨＳ（Ｐｅｒｓｏｎａｌ　Ｈａｎｄｙｐｈｏｎｅ　Ｓｙｓｔｅｍ）方式等の携帯電話通信機能を有する。
【００６３】
１１２はアンテナ（或いはコネクタ）で、通信手段１１０により撮像装置１００を、パケット網７００、ネットワーク７０２を介して画像情報管理装置（画像ゲートウェイ）４００と接続する、更には、ネットワーク６０２、インターネット６００を介して他の機器と接続する際のアンテナ或いは有線通信の場合はコネクタである。
【００６４】
１１４は通信手段で、Ｂｌｕｅｔｏｏｔｈなどの無線通信機能を有する。
【００６５】
また、通信手段１１４は、ＲＳ２３２ＣやＵＳＢ（Ｕｎｉｖｅｒｓａｌ　Ｓｅｒｉａｌ　Ｂｕｓ）、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）　１３９４、Ｐ１２８４、ＳＣＳＩ（Ｓｍａｌｌ　Ｃｏｍｐｕｔｅｒ　Ｓｙｓｔｅｍ　Ｉｎｔｅｒｆａｃｅ）、モデム、ＬＡＮ（Ｌｏｃａｌ　Ａｒｅａ　Ｎｅｔｗｏｒｋ）等の有線通信、ＩｒＤＡ（Ｉｎｆｒａｒｅｄ　Ｄａｔａ　Ａｓｓｏｃｉａｔｉｏｎ）などの赤外線通信、光通信等の各種通信機能を有する構成としても良い。
【００６６】
１１６はアンテナ（或いはコネクタ）で、通信手段１１４により撮像装置１００を印刷装置（プリントサービス）８００等の他の機器と接続する際のアンテナ或いは有線通信の場合はコネクタである。
【００６７】
２００はメモリカードやハードディスク等の記録媒体である。
【００６８】
記録媒体２００は、半導体メモリや磁気ディスク等から構成される記録部２０２、撮像装置１００とのインタフェース２０４、撮像装置１００と接続を行うコネクタ２０６を備えている。
【００６９】
なお、記録媒体２００は本実施例では撮像装置１００に内蔵される構成として説明している。
【００７０】
＜撮像装置１００の動作説明＞
図２乃至図７を参照して、本発明の第１の実施例の動作を説明する。
【００７１】
図２は本実施例の撮像装置１００の主ルーチンのフローチャートを示す。
また、図８に操作画面の概略図を示す。
【００７２】
図２を用いて、撮像装置１００の動作を説明する。
【００７３】
電池交換等の電源投入により、システム制御回路５０はフラグや制御変数等を初期化すると共に、撮像装置１００各部の初期化処理を行う（ステップＳ１００１）
システム制御回路５０は、電源スイッチ６０の設定位置を判断し、電源スイッチ６０が電源ＯＦＦに設定されていたならば（ステップＳ１００２）、各表示部の表示を終了状態に変更し、フラグや制御変数等を含む必要なパラメータや設定値、設定モードを不揮発性メモリ５６に記録し、電源制御手段８０により画像表示部２８を含む画像処理装置１００各部の不要な電源を遮断する等の所定の終了処理を行った後（ステップＳ１００３）、ステップＳ１００２に戻る。
【００７４】
電源スイッチ６０が電源ＯＮに設定されていたならば（ステップＳ１００２）、ステップＳ１００４に進む。
【００７５】
システム制御回路５０は、電源制御手段８０により電池等により構成される電源８６の残容量や動作情況が撮像装置１００の動作に問題があるか否かを判断し（ステップＳ１００４）、問題があるならば表示部５４及び或いは画像表示部２８を用いて画像や音声により所定の警告表示を行った後に（ステップＳ１００５）、ステップＳ１００２に戻る。
【００７６】
電源８６に問題が無いならば（ステップＳ１００４）、ステップＳ１００６に進む。
【００７７】
システム制御回路５０は、表示部５４を用いて画像や音声により撮像装置１００の各種設定状態の表示を行う。なお、画像表示部２８の画像表示がＯＮであったならば、画像表示部２８も用いて画像や音声により撮像装置１００の各種設定状態の表示を行う（ステップＳ１０１０）。
【００７８】
システム制御回路５０は、モードダイアル７２の設定位置を判断し、モードダイアル７２が撮影モードに設定されていなかったならば（ステップＳ１０１１）、ステップＳ１０１３に進む。
【００７９】
モードダイアル７２が撮影モードに設定されていたならば（ステップＳ１０１１）、システム制御回路５０は、撮影モード処理を実行し（ステップＳ１０１２）、処理を終えたならばステップＳ１００２に戻る。
【００８０】
システム制御回路５０は、モードダイアル７２の設定位置を判断し、モードダイアル７２が再生モードに設定されていなかったならば（ステップＳ１０１３）、ステップＳ１０１５に進む。
【００８１】
モードダイアル７２が再生モードに設定されていたならば（ステップＳ１０１３）、撮影した画像データの概略画像データを表示する再生モード処理を実行し（ステップＳ１０１４）、処理を終えたならばステップＳ１００２に戻る。
【００８２】
この再生モード処理（ステップＳ１０１４）の詳細は図６を用いて後述する。
【００８３】
上記のように、撮像装置１００の利用者は、撮像装置１００を携帯して撮影、再生、通信を随時行うことが可能であり、撮影した画像データを情報処理装置５００に格納し、格納した画像データを画像情報管理装置（画像ゲートウェイ）を転送し格納し、印刷装置（プリントサービス）８００に転送して写真プリントを行うことが可能である。
【００８４】
図３及び図５は、図２のステップＳ１０１２における撮影モード処理の詳細なフローチャートを示す。
【００８５】
システム制御回路５０は、操作部７０が備える各種スイッチの操作により、ユーザーによって撮影に関する各種設定の変更が行われたならば（ステップＳ１１０１）、変更された内容に応じて、撮影に関する動作設定を変更する（ステップＳ１１０２）。
【００８６】
システム制御回路５０は、シャッタースイッチＳＷ１が押されていないならば（ステップＳ１１０３）、撮影モード処理ルーチン（ステップＳ１０１２）を終了する。
【００８７】
シャッタースイッチＳＷ１が押されたならば（ステップＳ１１０３）、システム制御回路５０は、測距処理を行って撮影レンズ１０の焦点を被写体に合わせ、測光処理を行って絞り値及びシャッター時間を決定する（ステップＳ１１０４）。測光処理に於いて、必要であればフラッシュの設定も行う。
【００８８】
この測距・測光処理（ステップＳ１１０４）の詳細は図４を用いて後述する。
【００８９】
シャッタースイッチＳＷ２が押されずに（ステップＳ１１０５）、さらにシャッタースイッチＳＷ１も解除されたならば（ステップＳ１１０６）、撮影モード処理ルーチン（上記図２のステップＳ１０１２）を終了する。
【００９０】
シャッタースイッチＳＷ２が押されたならば（ステップＳ１１０５）、システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（ステップＳ１１０７）。
【００９１】
この撮影処理（ステップＳ１１０７）の詳細は図５を用いて後述する。
【００９２】
撮影処理Ｓ１１０７を終えたならば、システム制御回路５０は、メモリ３０に書き込まれた撮影画像データを読み出して、メモリ制御回路２２そして必要に応じて画像処理回路２０を用いて所定の画素補間処理や色変換処理等の現像処理を行い、現像処理を行った画像データをメモリ３０の所定領域に格納して（ステップＳ１１０８）、ステップＳ１１０９に進む。
【００９３】
システム制御回路５０は、メモリ３０の所定領域に格納された画像データを読み出し、圧縮・伸長回路３２を用いて、設定したモードに応じた画像圧縮処理を行う圧縮処理を行った後、圧縮処理を行った画像データをメモリ３０の所定領域に格納して（ステップＳ１１０９）、ステップＳ１１１０に進む。
【００９４】
システム制御回路５０は、メモリ３０の所定領域に格納された圧縮処理を行った画像データを読み出し、暗号／復号回路３４を用いて所定の暗号化処理を行い（ステップＳ１１１０）、処理を行った画像データをメモリ３０の所定領域に格納して、ステップＳ１１１１に進む。
【００９５】
図４は、図３のＳ１１０４における測距・測光処理の詳細なフローチャートを示す。
【００９６】
システム制御回路５０は、撮像素子１４から電荷信号を読み出し、Ａ／Ｄ変換器１６を介して画像処理回路２０に撮影画像データを逐次読み込む（ステップＳ１２０１）。この逐次読み込まれた画像データを用いて、画像処理回路２０はＴＴＬ（スルー・ザ・レンズ）方式のＡＥ（自動露出）処理、ＥＦ（フラッシュプリ発光）処理、ＡＦ（オートフォーカス）処理に用いる所定の演算を行っている。
【００９７】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【００９８】
画像処理回路２０での演算結果を用いて、システム制御回路５０は露出（ＡＥ）が適正と判断されるまで（ステップＳ１２０２）、露光制御手段４０を用いてＡＥ制御を行う（ステップＳ１２０３）。
【００９９】
ＡＥ制御で得られた測定データを用いて、システム制御回路５０はフラッシュが必要か否かを判断し（ステップＳ１２０４）、フラッシュが必要ならばフラッシュフラグをセットし、フラッシュ４８を充電する（ステップＳ１２０５）。
【０１００】
露出（ＡＥ）が適正と判断したならば（ステップＳ１２０２）、測定データ及び或いは設定パラメータをシステム制御回路５０の内部メモリ或いはメモリ５２に記憶する。
【０１０１】
画像処理回路２０での演算結果及びＡＥ制御で得られた測定データを用いて、システム制御回路５０はホワイトバランス（ＡＷＢ）が適正と判断されるまで（ステップＳ１２０６）、画像処理回路２０を用いて色処理のパラメータを調節してＡＷＢ制御を行う（ステップＳ１２０７）。
【０１０２】
ホワイトバランス（ＡＷＢ）が適正と判断したならば（ステップＳ１２０６）、測定データ及び或いは設定パラメータをシステム制御回路５０の内部メモリ或いはメモリ５２に記憶する。
【０１０３】
ＡＥ制御及びＡＷＢ制御で得られた測定データを用いて、システム制御回路５０は測距（ＡＦ）が合焦と判断されるまで（ステップＳ１２０８）、測距制御手段４２を用いてＡＦ制御を行う（ステップＳ１２０９）。
【０１０４】
測距（ＡＦ）が合焦と判断したならば（ステップＳ１２０８）、測定データ及び或いは設定パラメータをシステム制御回路５０の内部メモリ或いはメモリ５２に記憶し、測距・測光処理ルーチン（上記図４のステップＳ１１０４）を終了する。
【０１０５】
図５は、図３のＳ１１０７における撮影処理の詳細なフローチャートを示す。
【０１０６】
システム制御回路５０は、システム制御回路５０の内部メモリ或いはメモリ５２に記憶される測光データに従い、露光制御手段４０によって、絞り機能を有するシャッター１２を絞り値に応じて開放して撮像素子１０を露光する（ステップＳ１３０１、Ｓ１３０２）。
【０１０７】
フラッシュ・フラグによりフラッシュ４８が必要か否かを判断し（ステップＳ１３０３）、必要な場合はフラッシュを発光させる（ステップＳ１３０４）。
【０１０８】
システム制御回路５０は、測光データに従って撮像素子１２の露光終了を待ち（ステップＳ１３０５）、シャッター１２を閉じて（ステップＳ１３０６）、撮像素子１４から電荷信号を読み出し、Ａ／Ｄ変換器１６、画像処理回路２０、メモリ制御回路２２を介して、或いはＡ／Ｄ変換器１６から直接メモリ制御回路２２を介して、メモリ３０に撮影画像のデータを書き込む（ステップＳ１３０７）。
【０１０９】
撮影確認・フラグにより撮影後の確認が必要か否かを判断し（ステップＳ１３０８）、必要な場合は、再生モード処理に進む（ステップＳ１３０９）。
【０１１０】
一連の処理を終えたならば、撮影処理ルーチン（上記図５のステップＳ１１０７）を終了する。
【０１１１】
図６は、図２のＳ１０１４における再生モード処理の詳細なフローチャートを示す。
【０１１２】
システム制御回路５０は、選択した概略画像データをメモリ３０の所定領域から或いは記録媒体２００からメモリ３０の所定領域に格納してから読込み（ステップＳ１４０１）、暗号／復号回路３４によって所定の復号処理を行い（ステップＳ１４０２）、圧縮／伸張回路３２によって所定の伸張処理を行った後（ステップＳ１４０３）、処理を行った概略画像データを、メモリ制御回路２２、Ｄ／Ａ変換器２６を介して、画像表示部２８により表示して（ステップＳ１４０４）、ステップＳ１４０５に進む。
【０１１３】
システム制御回路５０は、操作部７０によって、ステップＳ１４０４で表示した概略画像データに対応した詳細画像データを表示する設定がされなかったならば（ステップＳ１４０５）、ステップＳ１４１４に進む。
【０１１４】
ステップＳ１４０４で表示した概略画像データに対応した詳細画像データを表示する設定がされたならば（ステップＳ１４０５）、ステップＳ１４１３に進む。
【０１１５】
システム制御回路５０は、メモリ３０の所定領域に格納した画像データを読出し、暗号／復号回路３４によって所定の復号処理を行い（ステップＳ１４１１）、圧縮／伸張回路３２によって所定の伸張処理を行った後（ステップＳ１４１２）、メモリ制御回路２２、そして必要に応じて画像処理回路２０を用いて所定の画像処理を行い、メモリ制御回路２２、Ｄ／Ａ変換器２６を介して、画像表示部２８により再生表示を行って（ステップＳ１４１３）、ステップＳ１４１４に進む。
【０１１６】
次の画像を表示するのならば（ステップＳ１４１４）、ステップＳ１４０１に戻り、一連の処理を繰り返す。
【０１１７】
次の画像を表示しないのならば（ステップＳ１４１４）、再生モード処理ルーチン（上記図２のステップＳ１０１４）を終了する。
【０１１８】
図７は、図６のＳ１０１４における詳細画像データ表示処理の詳細なフローチャートを示す。
【０１１９】
また、図８は、ヒストグラムモード選択時の操作画面の概略図を示す。
【０１２０】
概略画像データに対応した詳細画像データを表示する設定がされたならば、画像データのヒストグラム表示を行うかユーザーが選択する（ステップＳ１５０１）。ヒストグラム表示を行わない選択をしたならば、一連の処理を終了する。
【０１２１】
ヒストグラム表示を選択したならば、ヒストグラム輝度範囲を指定し（ステップＳ１５０２）、ヒストグラム輝度範囲を決定する（ステップＳ１５０３）まで繰り返す。
【０１２２】
決定したヒストグラム輝度範囲はメモリ３０の所定領域に確保される。こうすることで、ユーザー毎に使用頻度の高いヒストグラム輝度範囲を初期値して登録することが可能となり、一度設定を行えば次回からは確認をし、設定するだけで容易に指定できる。
【０１２３】
指定されたヒストグラム輝度範囲を任意のヒストグラム領域に設定する（ステップＳ１５０８）。設定すると任意のヒストグラム領域に対応した画像データの画素値を点滅表示する（ステップＳ１５０９）。ヒストグラムの範囲を決定する（ステップＳ１５１０）まで繰り返す。
【０１２４】
指定された任意のヒストグラム範囲の画素値に適合した適性露出を画像処理回路２０が算出し決定する（ステップＳ１５０９）。
【０１２５】
以上のように、本発明の第１の実施例によれば、撮像装置１００を用いて撮影確認または再生モードでヒストグラム表示を行い、かつヒストグラム範囲選択幅と任意のヒストグラム位置を選択し、選択したヒストグラムに対応した画像データの画素値を点滅表示することで画像データと画素値分布の対応を容易に確認することが可能となり、任意の画素値分布を中心に適正露出を決定することが可能となる。
【０１２６】
（第２の実施例）
＜撮像装置１００の構成説明＞
撮像装置１００の構成は、第１の実施例と同様であるために、説明を省略する。
【０１２７】
＜撮像装置１００の動作説明＞
図２及び図４乃至図９を参照して、本発明の第２の実施例の動作を説明する。
【０１２８】
図２乃至図７は、第１の実施例と説明は同様であるために、説明を省略する。
【０１２９】
図９は第２の実施例の撮像装置１００における撮影モード処理の詳細のフローチャートを示す。
【０１３０】
システム制御回路５０は、操作部７０が備える各種スイッチの操作により、ユーザーによって撮影に関する各種設定の変更が行われたならば（ステップＳ１６０１）、変更された内容に応じて、撮影に関する動作設定を変更する（ステップＳ１６０２）。
【０１３１】
システム制御回路５０は、操作部７０が備える各種スイッチの操作により、ユーザーによってヒストグラムモード選択が行われたならば（ステップＳ１６０３）、詳細画像データ表示モードに進む（ステップＳ１６０４）詳細は、図７に示す。
【０１３２】
システム制御回路５０は、シャッタースイッチＳＷ１が押されていないならば（ステップＳ１６０５）、撮影モード処理ルーチン（ステップＳ１０１２）を終了する。
【０１３３】
シャッタースイッチＳＷ１が押されたならば（ステップＳ１６０５）、システム制御回路５０は、測距処理を行って撮影レンズ１０の焦点を被写体に合わせ、測光処理を行って絞り値及びシャッター時間を決定する（ステップＳ１６０６）。測光処理に於いて、必要であればフラッシュの設定も行う。
【０１３４】
この測距・測光処理（ステップＳ１６０６）の詳細は図４を用いて後述する。
【０１３５】
シャッタースイッチＳＷ２が押されずに（ステップＳ１６０７）、さらにシャッタースイッチＳＷ１も解除されたならば（ステップＳ１６０８）、撮影モード処理ルーチン（上記図２のステップＳ１０１２）を終了する。
【０１３６】
シャッタースイッチＳＷ２が押されたならば（ステップＳ１６０７）、システム制御回路５０は、撮像素子１２、Ａ／Ｄ変換器１６、画像処理回路２０、メモリ制御回路２２を介して、或いはＡ／Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（ステップＳ１６０９）。
【０１３７】
この撮影処理（ステップＳ１６０９）の詳細は図５を用いて後述する。
【０１３８】
撮影処理Ｓ１６０９を終えたならば、システム制御回路５０は、メモリ３０に書き込まれた撮影画像データを読み出して、メモリ制御回路２２そして必要に応じて画像処理回路２０を用いて所定の画素補間処理や色変換処理等の現像処理を行い、現像処理を行った画像データをメモリ３０の所定領域に格納して（ステップＳ１６１０）、ステップＳ１６１１に進む。
【０１３９】
システム制御回路５０は、メモリ３０の所定領域に格納された画像データを読み出し、圧縮・伸長回路３２を用いて、設定したモードに応じた画像圧縮処理を行う圧縮処理を行った後、圧縮処理を行った画像データをメモリ３０の所定領域に格納して（ステップＳ１６１１）、ステップＳ１６１２に進む。
【０１４０】
システム制御回路５０は、メモリ３０の所定領域に格納された圧縮処理を行った画像データを読み出し、暗号／復号回路３４を用いて所定の暗号化処理を行い（ステップＳ１６１２）、処理を行った画像データをメモリ３０の所定領域に格納して、ステップＳ１６１３に進む。
【０１４１】
以上のように、本発明の第２の実施例によれば、撮像装置１００を用いて撮影モードのＥＶＦ表示中にヒストグラム表示を行い、かつヒストグラム範囲選択幅と任意のヒストグラム位置を選択し、選択したヒストグラムに対応した画像データの画素値を点滅表示することで画像データと画素値分布の対応を容易に確認することが可能となり、任意の画素値分布を中心に適正露出を決定することが可能となる。
【０１４２】
（他の実施形態）
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【０１４３】
この場合、記憶媒体から読み出されたプログラムコード自体が前述した実施形態の機能を実現することになり、そのプログラムコードを記憶した記憶媒体は本発明を構成することになる。
【０１４４】
プログラムコードを供給するための記憶媒体としては、例えば、フロッピー（Ｒ）ディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
【０１４５】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部又は全部を行い、その処理によって前述した実施形態の機能が実現される場合も含まれることは言うまでもない。
【０１４６】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【図１】本発明の一実施例の全体ブロック図である。
【図２】本実施例における撮像装置の主ルーチンのフローチャートである。
【図３】本実施例における撮像装置の撮影モード処理ルーチンのフローチャートである。
【図４】本実施例における撮像装置の測距測光処理ルーチンのフローチャートである。
【図５】本実施例における撮像装置の撮影処理ルーチンのフローチャートである。
【図６】本実施例における撮像装置の再生処理ルーチンのフローチャートである。
【図７】本実施例における撮像装置のヒストグラム表示ルーチンのフローチャートである。
【図８】本実施例における操作画面の一例である
【図９】本第２の実施例における撮像装置の撮影モード処理ルーチンのフローチャートである。
【符号の説明】
１０　撮影レンズ
１２　シャッター
１４　撮像素子
１６　Ａ／Ｄ変換器
１８　タイミング発生回路
２０　画像処理回路
２２　メモリ制御回路
２４　画像表示メモリ
２６　Ｄ／Ａ変換器
２８　画像表示部
３０　メモリ
３２　画像圧縮・伸長回路
３４　暗号／複合回路
３６　課金管理手段
４０　露光制御手段
４２　測距制御手段
４４　ズーム制御手段
４６　バリア制御手段
４８　フラッシュ
５０　システム制御回路
５２　メモリ
５４　表示部
５６　不揮発性メモリ
５８　識別情報
６０　電源スイッチ（メインスイッチ）
６２　シャッタースイッチＳＷ１
６４　シャッタースイッチＳＷ２
７０　操作部
７２　モードダイアルスイッチ
８０　電源制御手段
８２　コネクタ
８４　コネクタ
８６　電源手段
９０　インタフェース
９２　コネクタ
１００　撮像装置
１０２　保護手段
１０４　光学ファインダ
１１０　通信手段
１１２　アンテナ
１１４　通信手段
１１６　アンテナ
２００　記録媒体
２０２　記録部
２０４　インタフェース
２０６　コネクタ
【図１】
2004096624.tif 000003
【図２】
2004096624.tif 000004
【図３】
2004096624.tif 000005
【図４】
2004096624.tif 000006
【図５】
2004096624.tif 000007
【図６】
2004096624.tif 000008
【図７】
2004096624.tif 000009
【図８】
2004096624.tif 000010
【図９】
2004096624.tif 000011